(57)【要約】【課題】  遮光板が目立たないながらも高いデザイン性を発揮し、かつ、軽量で装着時にも違和感を覚えることのない、安価なコストで提供が可能な遮光機能を備えた眼鏡を提供する。【解決手段】  リム又はレンズと利用者の顔面との間の隙間から入射しようとする太陽光等の光を遮光する遮光機構を備えた眼鏡において、左右のレンズ１２，１２の各々の上縁に設けられた保持リム１１と、この保持リム１１に保持された左右一対の遮光板２，２とを有し、遮光板２，２の各々は、保持リム１１のブリッジ１６側に取り付けられた基部２ａと、この基部２ａから智１５側に向けて、保持リム１１の形状に従って伸びる第一側縁２ｂと、基部２ａから利用者の顔面の形状に従って伸びる第二側縁２ｃとを有し、左右一対の遮光板２，２は、眼鏡１を平面視したときに、ブリッジ１６側から左右の智１５に向けて伸びる拡翼状の形状をなす構成とした。【選択図】  図３
2011145356.tif 000002
【特許請求の範囲】
【請求項１】
リム又はレンズと利用者の顔面との間の隙間から入射しようとする太陽光等の光を遮光する遮光機構を備えた眼鏡において、
左右のレンズの各々の上縁に設けられた保持リムと、この保持リムに保持された左右一対の遮光板とを有し、
前記遮光板の各々は、前記保持リムのブリッジ側に取り付けられた基部と、この基部から智側に向けて、前記レンズの上縁又は前記保持リムの形状に従って伸びる第一側縁と、前記基部から前記利用者の顔面の形状に従って伸びる第二側縁とを有し、
左右一対の前記遮光板は、前記眼鏡を平面視したときに、前記ブリッジ側から左右の智に向けて伸びる拡翼状の形状をなすこと、
を特徴とする遮光機能を備えた眼鏡。
【請求項２】
前記レンズの左右両側に位置する智の部分に、前記リムのレンズ保持部分と一体的な側面遮光板を設け、前記遮光板の前記第一側縁又は前記第二則縁の一部が、前記側面遮光板の上縁に従った形状に形成されていることを特徴とする請求項１に記載の遮光機能を備えた眼鏡。
【請求項３】
前記保持リムと前記智と前記遮光板とを同一の板材から切り出し又は打ち抜き及びプレス成形によって一体に形成したことを特徴とする請求項１又は２に記載の遮光機能を備えた眼鏡。
【請求項４】
前記保持リムが、ハーフリム又はフルリムタイプの眼鏡のリムの一部であることを特徴とする請求項１〜３のいずれかに記載の遮光機能を備えた眼鏡。
【請求項５】
前記眼鏡がリムレス眼鏡である場合において、ブリッジ又は智から保持リムをレンズ上縁に沿って延出させ、この保持リムに前記遮光板を設けたことを特徴とする請求項１〜３のいずれかに記載の遮光機能を備えた眼鏡。
【発明の詳細な説明】
【技術分野】
【０００１】
本発明は、利用者の顔とリムとの間から前記利用者の眼に入射しようとする光を遮断するための遮光機能を備えた眼鏡に関する。
【背景技術】
【０００２】
例えば、釣りや射撃、アーチェリー等の競技においては、眼鏡のレンズが偏光機能を備えることはもとより、レンズと顔との間から入射する太陽光等の光が競技の妨げになることから、このような光の入射を遮断する遮光機能を備えた眼鏡やサングラスの使用が盛んになっている（例えば特許文献１，２参照）。
しかし、これら文献に記載の眼鏡は、遮光板がレンズの外側に張り出しているためデザイン性が悪く、また、利用者の顔とリムとの間に隙間があるので、この隙間から入射しようとする光を遮断できないという問題がある。
そこで、特許文献３に記載の眼鏡では、遮光用のインナーフレームを眼鏡のフレームの内側に取り付けるようにしている。
【特許文献１】特開昭６０−１３３４３０号公報
【特許文献２】特開平９−１０１４８５号公報
【特許文献３】特開２００５−２９２７５０号公報
【発明の開示】
【発明が解決しようとする課題】
【０００３】
しかし、特許文献３に記載の眼鏡は、インナーフレームが眼鏡と別体であるため、取り付けが煩わしく、また、フレームが重くなるという問題がある。また、インナーフレームが利用者の眼の周囲や顔に触れて、装着時に違和感を覚えるおそれがあるという新たな問題が発生する。さらに、この文献に記載の眼鏡は、インナーフレーム装着時にインナーフレームが目立つことから、デザインに占めるインナーフレームの割合が大きいという問題もある。
【０００４】
本発明は、上記の問題点に鑑みてなされたもので、遮光板の大きさを必要最小限にとどめつつ十分な遮光性を確保するとともに、遮光板が目立たないながらも高いデザイン性を発揮し、かつ、軽量で装着時にも違和感を覚えることのない、安価なコストで提供が可能な遮光機能を備えた眼鏡の提供を目的とする。
【課題を解決するための手段】
【０００５】
上記の目的を達成するために、請求項１に記載の遮光機構を備えた眼鏡は、リム又はレンズと利用者の顔面との間の隙間から入射しようとする太陽光等の光を遮光する遮光機構を備えた眼鏡において、左右のレンズの各々の上縁に設けられた保持リムと、この保持リムに保持された左右一対の遮光板とを有し、前記遮光板の各々は、前記保持リムのブリッジ側に取り付けられた基部と、この基部から智側に向けて、前記レンズの上縁又は前記保持リムの形状に従って伸びる第一側縁と、前記基部から前記利用者の顔面の形状に従って伸びる第二側縁とを有し、左右一対の前記遮光板は、前記眼鏡を平面視したときに、前記ブリッジ側から左右の智に向けて伸びる拡翼状の形状をなす構成としてある。
この構成によれば、拡翼状の遮光板が高いデザイン性を発揮するとともに、利用者の顔面とリム又はレンズとの間の隙間を遮蔽して、高い遮光性を得ることができる。
【０００６】
また、請求項２に記載するように、前記レンズの左右両側に位置する智の部分に、前記リムのレンズ保持部分と一体的な側面遮光板を設け、前記遮光板の前記第一側縁又は前記第二則縁の一部が、前記側面遮光板の上縁に従った形状に形成されているものとしてもよい。
このようにすることで、リム又はレンズの側面から入射しようとする光を、側面遮光板で遮断することができる。
【０００７】
本発明の眼鏡の製造は、射出成形や削成等で行うことができるが、請求項３に記載するように、前記保持リムと前記智と前記遮光板とを同一の板材から切り出し又は打ち抜き及びプレス成形によって一体に形成することもできる。
前記保持リムが、ハーフリム又はフルリムタイプの眼鏡の場合は、請求項４に記載するように、前記保持リムを前記リムの一部から構成すればよい。本発明はリムレスタイプの眼鏡にも適用が可能で、リムレス眼鏡である場合は、請求項５に記載するように、ブリッジ又は智から保持リムをレンズ上縁に沿って延出させ、この保持リムに前記遮光板を設けるようにするとよい。
【発明の効果】
【０００８】
本発明によれば、必要最小限の隙間に遮光板を設けることで十分な遮光性を確保することができる。そのため、目立たないながらも遮光板によって高い社交性を確保でき、かつ、拡翼状に拡がる遮光板が高いデザイン性を発揮する。また、本発明の遮光板は軽量で装着時に違和感も無く、遮光機能を備えた眼鏡を安価なコストで製造が可能である。
【発明を実施するための最良の形態】
【０００９】
以下、本発明の好適な実施形態を、図面を参照しながら詳細に説明する。
図１〜図５は、本発明の第一の実施形態にかかる遮光機能を備えた眼鏡の一例にかかり、図１（ａ）は遮光機能を備えた眼鏡の左側面図、（ｂ）は同右側面図、図２（ａ）は図１の眼鏡の正面図、図２（ｂ）は同背面図、図３は図１の眼鏡の平面図、図４は同底面図、図５は図１の眼鏡の全体構成を示す斜視図である。
なお、本発明の遮光板は、図示の形態の眼鏡に限らずあらゆる形態の眼鏡に適用が可能であるため、遮光板の部分のみを実線で示し、それ以外の部分は点線で示している。
【００１０】
眼鏡１は、左右のレンズ１２，１２と、このレンズ１２，１２を保持するリム１１と、このリム１１のブリッジ部分１６に取り付けられた鼻パッド１３，１３と、リム１１の両端に取り付けられた智１５，１５及びこの智１５，１５にヒンジ１５ａ，１５ａを介して折り畳み自在に取り付けられたテンプル１４，１４とを有している。この実施形態において眼鏡１はレンズ１２，１２の全体をリムでするフルリムタイプのものである。
【００１１】
リム１１は、例えばチタン等の金属薄板を打ち抜き、プレスして成形することができる。このようなプレス成形では、智１５とブリッジ１６とヒンジ１５ａとを一体に形成することができる。この実施形態の智１５は、レンズ１２又はリム１１の側面の上下幅に合わせて幅広に形成され、眼鏡１の側面から利用者の眼に太陽光等が入射しないようになっている。従って、この実施形態では、智１５が側面遮光板を構成する。
【００１２】
一対の遮光板２，２は、リム１１の左右の上縁に設けられる。遮光板２は、ブリッジ１６の両端近傍でリム１１に連結される基部２ａと、この基部２ａからリム１１の上縁に沿って智１５まで伸び、智１５の上縁に沿ってヒンジ１５ａの上方付近まで伸びる第一側縁部２ｂと、この第一側縁部２ｂに連続し、利用者の顔面の形状に沿って凹状に緩やかにカーブし、基部２ａまで達する第二側縁部２ｃとを有している。
【００１３】
第一側縁部２ｂとリム１１ｂの上縁との間の隙間及び第一側縁部２ｂと智１５の上縁との間の隙間は、太陽光等の入射を可能な限り遮断するために、可能な限り小さいものであるのが好ましい。
上記構成の遮光板２は、打ち抜きプレス成形によりリム１１と一体に形成されるものとしてもよいし、リム１１と別体に形成された後にロウ付け等でリム１１に取り付けられるものとしてもよい。
【００１４】
上記構成の一対の遮光板２，２を備えた本発明の眼鏡１は、例えば図３の平面図に示すように、眼鏡１を上から見たときに、左右の遮光板２，２が拡翼状に左右に伸びる美しい形態をなし、高い遮光機能だけでなく優れたデザイン性も得ることができる。
【００１５】
図６〜図１０は、本発明の第二の実施形態にかかる眼鏡の説明図にかかり、図６（ａ）は遮光機能を備えた眼鏡の左側面図、図６（ｂ）は同右側面図、図７（ａ）は図１の眼鏡の正面図、図７（ｂ）は同背面図、図８は図６の眼鏡の平面図、図９は同底面図、図１０は図６の眼鏡の全体構成を示す斜視図である。
なお、この実施形態においても、遮光板は図示の形態の眼鏡に限らずあらゆる形態の眼鏡に適用が可能であるため、遮光板の部分のみを実線で示し、それ以外の部分は点線で示している。
この実施形態の眼鏡１の基本構成は先の実施形態の眼鏡１と同じである。この実施形態では、遮光板２の形状が先の実施形態と少し異なり、第二側縁部２ｃの途中部位に円弧形の段付き部を形成し、かつ、全体的に丸みを帯びさせることで、より鳥の翼に近い印象を与えるデザインを得ている。
また、この実施形態の眼鏡１では、遮光板２の形状に合わせて、図６に示すようにテンプル１４にも円弧形の段付き部を形成し、遮光板２との相乗効果により眼鏡１のデザイン性を高めている。
【００１６】
本発明の好適な実施形態について説明したが、本発明は上記の説明に限定されるものではない。例えば、上記の説明でリム１１は打ち抜き・プレス成形にて形成されるものとしたが、射出成形や削成によってリム１１を形成するようにしてもよい。この場合も、遮光板２をリム１１と一体に形成してもよいし、別体に形成してロウ付け等によってリム１１に取り付けるようにしてもよい。
【産業上の利用可能性】
【００１７】
本発明は、金属フレームの眼鏡に限らず樹脂フレームや木製又は竹製の眼鏡にも適用が可能である。また、フルリムやハーフリムに限らず、リムレス眼鏡にも適用が可能である。この場合は、ブリッジ又は智から延ばしたリム用部材に遮光板を取り付けるか又は一体に形成する。
【図面の簡単な説明】
【００１８】
【図１】（ａ）は遮光機能を備えた眼鏡の左側面図、（ｂ）は同右側面図である。
【図２】（ａ）は図１の眼鏡の正面図、図２（ｂ）は同背面図である。
【図３】図１の眼鏡の平面図である。
【図４】図１の眼鏡の底面図である。
【図５】図１の眼鏡の全体構成を示す斜視図である。
【図６】（ａ）は遮光機能を備えた眼鏡の左側面図、（ｂ）は同右側面図である。
【図７】（ａ）は図６の眼鏡の正面図、（ｂ）は同背面図である。
【図８】図６の眼鏡の平面図である。
【図９】図６の眼鏡の底面図である。
【図１０】図６の眼鏡の全体構成を示す斜視図である。
【符号の説明】
【００１９】
１    フルリム眼鏡
１１  リム
１２  レンズ
１３  鼻パッド
１４  テンプル
１５  智
１５ａ  ヒンジ
２  遮光板
２ａ  基部
２ｂ  第一側縁部
２ｃ  第二側縁部
【図１】
2011145356.tif 000003
【図２】
2011145356.tif 000004
【図３】
2011145356.tif 000005
【図４】
2011145356.tif 000006
【図５】
2011145356.tif 000007
【図６】
2011145356.tif 000008
【図７】
2011145356.tif 000009
【図８】
2011145356.tif 000010
【図９】
2011145356.tif 000011
【図１０】
2011145356.tif 000012